(57)【要約】      （修正有）【課題】フィットネス動作を行う被施療者にも適したマッサージ動作を、余計な操作負担なく実現するマッサージシステムを提供する。【解決手段】施療体で被施療者をマッサージするマッサージシステム１である。施療コースに関するコース情報Ｊを記憶する記憶部５と、施療コースを実行する実行部６と、フィットネス手段７と、フィットネス情報Ｆに基づいて新たなコース情報Ｊを生成可能なフィットネス生成部８を備え、実行部６は、フィットネス情報Ｆとユーザ情報Ｕとに基づいて、実行する施療コースを選択する。【選択図】図１
2015097635.tif 000002
【特許請求の範囲】
【請求項１】
施療体（２）で被施療者（Ｈ）をマッサージするマッサージ装置（３）と、このマッサージ装置（３）を操作するコントロール装置（４）とを有したマッサージシステムであって、
前記被施療者（Ｈ）に所定のマッサージ動作を施療する施療コース（Ｓ）に関するコース情報（Ｊ）を記憶する記憶部（５）と、前記コース情報（Ｊ）に応じた施療コース（Ｓ）を実行する実行部（６）と、前記被施療者（Ｈ）が所定のフィットネス動作を行うフィットネス手段（７）と共に、
このフィットネス手段（７）で被施療者（Ｈ）が行うフィットネス動作に関するフィットネス情報（Ｆ）に基づいて新たなコース情報（Ｊ）を生成可能なフィットネス生成部（８）とを備え、
前記実行部（６）は、前記フィットネス情報（Ｆ）と前記被施療者（Ｈ）が置かれた環境及び被施療者（Ｈ）の状態に関するユーザ情報（Ｕ）とに基づいて、実行する施療コース（Ｓ）を選択していることを特徴とするマッサージシステム。
【請求項２】
前記ユーザ情報（Ｕ）は、前記被施療者（Ｈ）が置かれた時刻、日付、温度、湿度、天候のうち少なくとも１つに関するタイム情報（Ｔ）を含み、
前記コース情報（Ｊ）は、当該施療コース（Ｓ）において実行部（６）が被施療者（Ｈ）に施療する予定又は施療したマッサージ動作の速度、強度、マッサージ手技、マッサージ部位のうち少なくとも１つに関するパラメータを含み、
前記フィットネス情報（Ｆ）は、当該被施療者（Ｈ）がフィットネス手段（７）で行う予定又は行ったフィットネス動作の種類、時間、回数、強度のうち少なくとも１つに関するパラメータを含むことを特徴とする請求項１に記載のマッサージシステム。
【請求項３】
前記ユーザ情報（Ｕ）は、前記被施療者（Ｈ）自身の状態に係る被施療者（Ｈ）とコントロール装置（４）間の応答に関するコミュニケーション情報（Ｃ）を含み、
このコミュニケーション情報（Ｃ）に基づいて新たなコース情報（Ｊ）を生成可能なコミュニケーション生成部（９）を備えていることを特徴とする請求項１又は２に記載のマッサージシステム。
【請求項４】
前記マッサージ装置（３）、コントロール装置（４）及びフィットネス手段（７）は、ネットワーク（Ｎ）を介して通信可能に接続されていることを特徴とする請求項１〜３の何れか１項に記載のマッサージシステム。
【請求項５】
施療体（２）で被施療者（Ｈ）をマッサージするマッサージ装置（３）と、このマッサージ装置（３）を操作するコントロール装置（４）を有したマッサージシステムであって、
前記被施療者（Ｈ）に所定のマッサージ動作を施療する施療コース（Ｓ）に関するコース情報（Ｊ）を記憶する記憶部（５）と、前記コース情報（Ｊ）に応じた施療コース（Ｓ）を実行する実行部（６）とを備え、
この実行部（６）は、前記被施療者（Ｈ）が置かれた環境及び被施療者（Ｈ）の状況に関するユーザ情報（Ｕ）に基づいて、実行する施療コース（Ｓ）を選択していることを特徴とするマッサージシステム。
【発明の詳細な説明】
【技術分野】
【０００１】
本発明は、施療体により被施療者をマッサージするマッサージシステムに関する。
【背景技術】
【０００２】
従来、予め設定されているプログラムに従った手順でマッサージ動作を順次実行していく自動施療機能付きのマッサージ機が知られている（特許文献１参照）。
このマッサージ機は、全マッサージ動作についての速度を変化させる速度変更スイッチを備えている。
【先行技術文献】
【特許文献】
【０００３】
【特許文献１】特開２００１−１９０６２０号公報
【発明の概要】
【発明が解決しようとする課題】
【０００４】
しかしながら、特許文献１に記載されたマッサージ機は、予め設定されている以外のマッサージ動作自体や順番は実行できないため、被施療者自身が、その状態等にあわせて、逐一変更しなくてはならず、操作に手間がかかる。
又、特許文献１のマッサージ機は、フィットネス手段などにてフィットネス動作を行った被施療者に応じてマッサージ動作を実行するものではないため、フィットネス動作も考慮したマッサージコースがなく、被施療者に違和感を与える。
【０００５】
本発明は、このような点に鑑み、フィットネス情報に基づき新たなコース情報を生成するフィットネス生成部を備え、フィットネス情報とユーザ情報とに基づいて実行する施療コースをシステム自らが選択する、又は、フィットネス情報がなくとも、被施療者が置かれた環境及び被施療者の状態に関するユーザ情報に基づいて施療コースをシステム自らが選択することによって、操作負担を上げずに、フィットネス動作も併せて行う被施療者に対して、適切なマッサージ動作を実行できるマッサージシステムを提供することを目的とする。
【課題を解決するための手段】
【０００６】
本発明のマッサージシステム１は、施療体２で被施療者Ｈをマッサージするマッサージ装置３と、このマッサージ装置３を操作するコントロール装置４とを有したマッサージシステムであって、前記被施療者Ｈに所定のマッサージ動作を施療する施療コースＳに関するコース情報Ｊを記憶する記憶部５と、前記コース情報Ｊに応じた施療コースＳを実行する実行部６と、前記被施療者Ｈが所定のフィットネス動作を行うフィットネス手段７と共に、このフィットネス手段７で被施療者Ｈが行うフィットネス動作に関するフィットネス情報Ｆに基づいて新たなコース情報Ｊを生成可能なフィットネス生成部８とを備え、前記実行部６は、前記フィットネス情報Ｆと前記被施療者Ｈが置かれた環境及び被施療者Ｈの状態に関するユーザ情報Ｕとに基づいて、実行する施療コースＳを選択していることを第１の特徴とする。
【０００７】
本発明のマッサージシステム１の第２の特徴は、上記第１の特徴に加えて、前記ユーザ情報Ｕは、前記被施療者Ｈが置かれた時刻、日付、温度、湿度、天候のうち少なくとも１つに関するタイム情報Ｔを含み、前記コース情報Ｊは、当該施療コースＳにおいて実行部６が被施療者Ｈに施療する予定又は施療したマッサージ動作の速度、強度、マッサージ手技、マッサージ部位のうち少なくとも１つに関するパラメータを含み、前記フィットネス情報Ｆは、当該被施療者Ｈがフィットネス手段７で行う予定又は行ったフィットネス動作の種類、時間、回数、強度のうち少なくとも１つに関するパラメータを含む点にある。
【０００８】
本発明のマッサージシステム１の第３の特徴は、上記第１又は２の特徴に加えて、前記ユーザ情報Ｕは、前記被施療者Ｈ自身の状態に係る被施療者Ｈとコントロール装置４間の応答に関するコミュニケーション情報Ｃを含み、このコミュニケーション情報Ｃに基づいて新たなコース情報Ｊを生成可能なコミュニケーション生成部９を備えている点にある。
【０００９】
本発明のマッサージシステム１の第４の特徴は、上記第１〜３の何れかの特徴に加えて、前記マッサージ装置３、コントロール装置４及びフィットネス手段７は、ネットワークＮを介して通信可能に接続されている点にある。
【００１０】
本発明のマッサージシステム１の他の特徴は、施療体２で被施療者Ｈをマッサージするマッサージ装置３と、このマッサージ装置３を操作するコントロール装置４を有したマッサージシステムであって、前記被施療者Ｈに所定のマッサージ動作を施療する施療コースＳに関するコース情報Ｊを記憶する記憶部５と、前記コース情報Ｊに応じた施療コースＳを実行する実行部６とを備え、この実行部６は、前記被施療者Ｈが置かれた環境及び被施療者Ｈの状況に関するユーザ情報Ｕに基づいて、実行する施療コースＳを選択している点にある。
【００１１】
これらの特徴により、フィットネス情報Ｆに基づいて新たなコース情報Ｊを生成可能なフィットネス生成部８を備えることによって、被施療者Ｈの筋力、持久力等の体力の他、主に疲労している部位がフィットネス情報Ｆからわかり、最も適切な疲労回復を施したり、最も競技パフォーマンスを発揮できるように、事前に体をほぐしたりすることが可能となる。
これに加えて、フィットネス情報Ｆとユーザ情報Ｕとに基づいて、実行する施療コースＳを、マッサージシステム１の実行部６が選択することによって、被施療者Ｈに余計な操作負担をかけることなく、被施療者Ｈのフィットネス情報Ｆと共に、被施療者Ｈに関するユーザ情報Ｕをもふまえて、適切な施療コースＳを選択することが出来る。
つまり、本発明に係るマッサージシステム１は、フィットネス手段７を使用する被施療者Ｈに応じて、フィットネス情報Ｆとユーザ情報Ｕの両方から、適する施療コースＳを選択できる。
そして、本発明のマッサージシステム１によって、健康管理や健康の維持や増進を図る「ヘルスケア」を、マッサージ装置３やフィットネス手段７などを結びつけて「リンク」する「ヘルスケアリンク」が実現できる。
【００１２】
尚、本発明における「フィットネス手段７」とは、被施療者Ｈが、フィットネス動作を行える機器であれば、何れの構成であっても構わないが、例えば、トレッドミル、エクササイズサイクル等のフィットネス機器や、チェストプレス等のトレーニング機器でも良い。
更に、本発明の「フィットネス手段７」とは、プールでの水泳なども含み、この場合、プールや水着に被施療者Ｈの泳ぐ距離、時間、インターバル、泳法を感知するセンサを取り付ける等しても良い。
【００１３】
又、ユーザ情報Ｕが、時刻、日付、温度、湿度、天候の何れかに関するタイム情報Ｔを含むことによって、単純に、マッサージ開始からの時間経過だけでなく、起床後か就寝前か等も把握でき、更には、マッサージ動作を施療する際に、置かれた環境により被施療者Ｈの状態（寒く感じるか暑く感じるか、ムチ打ちの痛みが出易いか等）に基づいて、施療コースＳを選択可能となる。
これと共に、コース情報Ｊは、マッサージ動作の速度、強度、マッサージ手技、マッサージ部位の何れかに関するパラメータを含み、フィットネス情報Ｆは、フィットネス動作の種類、時間、回数、強度の何れかに関するパラメータを含むことによって、フィットネス情報Ｆから、マッサージすべき部位の速度、強度、手技を予測でき、フィットネス動作も併せて行う被施療者Ｈに対して、より適切なマッサージ動作を実行できる。
【００１４】
更に、ユーザ情報Ｕが、被施療者Ｈとコントロール装置４間の応答に関するコミュニケーション情報Ｃを含み、このコミュニケーション情報Ｃに基づいて新たなコース情報Ｊを生成可能なコミュニケーション生成部９を備えることによって、コントロール装置４との応答により、被施療者Ｈが自らの疲れ具合や気分などの詳しい状況を、システム側に伝えることができ、適切な施療コースＳの選択における精度を、更に向上させることが可能となる。
【００１５】
そして、マッサージ装置３、コントロール装置４及びフィットネス手段７を、ネットワークＮを介して通信可能に接続することによって、マッサージ装置３とフィットネス手段７が、それぞれ別の場所に設置されているなど、両装置３、７間に地理的な隔たりがあっても支障はなく、被施療者Ｈが普段携帯している電子機器、例えば、スマートフォンや、タブレット型端末などを用いて、本発明のマッサージシステム１を利用することが出来、自己の履歴等の管理も容易となる。
【００１６】
尚、本発明における「ネットワークＮ」とは、個々のコンピュータネットワーク（ローカルエリアネットワーク（ＬＡＮ））を接続して、データのやりとりにＴＣＰ／ＩＰというプロトコルを用いて、世界的規模で通信サービスを行えるようにしたローカルエリアネットワーク（ＬＡＮ）の集合体である「インターネット」（オープンネットワーク）をはじめ、各「ローカルエリアネットワーク（ＬＡＮ）」や、「メトロポリタンエリアネットワーク（ＭＡＮ）」、「ワイドエリアネットワーク（ＷＡＮ）」など、何れのコンピュータネットワークであっても構わない。
又、本発明における「ローカルエリアネットワーク（ＬＡＮ）」とは、ＪＩＳ−Ｘ−０００９：１９９７で規定された「利用者の構内に設置され、地理的に限られた範囲のコンピュータネットワーク」を言い、クローズドネットワークであるとも言える。
更に、本発明における「メトロポリタンエリアネットワーク（ＭＡＮ）」も、ＪＩＳ−Ｘ−０００９：１９９７で規定された「同じ都市内のローカルエリアネットワークを接続するための網」を言い、本発明における「ワイドエリアネットワーク（ＷＡＮ）」は、ＪＩＳ−Ｘ−０００９：１９９７の規定による「ローカルエリアネットワーク又はメトロポリタンネットワークよりも広域に通信サービスを提供するネットワーク」を言う。
又、本発明においては、Ｗｉ−Ｆｉ（登録商標の少なくとも一部）や、Ｂｌｕｅｔｏｏｔｈ（登録商標）などの無線通信手法も含め「ＬＡＮ」として扱う。
【００１７】
一方、本発明のマッサージシステム１は、フィットネス手段７やフィットネス情報Ｆが無い場合であっても、ユーザ情報Ｕに基づいて施療コースＳをシステム自らが選択することによって、フィットネス動作を行う被施療者Ｈに対して、適切なマッサージ動作を実行できる。
尚、この場合における「ユーザ情報Ｕ」とは、例えば、フィットネス情報Ｆが無くとも、マッサージ装置３にてマッサージ動作を施療した際の反力によって検出した被施療者Ｈの体のかたさや、当該かたい部位を把握する等をした「被施療者Ｈの状態」である。
【発明の効果】
【００１８】
本発明に係るマッサージシステムによると、フィットネス情報に基づいて新たなコース情報を生成するフィットネス生成部を備えると共に、実行部がフィットネス情報とユーザ情報とに基づき実行する施療コースを選択する、又は、フィットネス情報がなくとも、被施療者に関するユーザ情報に基づいて施療コースを選択することで、フィットネス動作を併せて行う被施療者に対しても、「操作負担の低減」と「適切なマッサージの施療」が両立できる。
【図面の簡単な説明】
【００１９】
【図１】本発明に係る第１実施形態のマッサージシステムを示す概要図である。
【図２】本発明に係るマッサージ装置の実施例１を示す側面図である。
【図３】マッサージ装置の実施例１を示す正面図である。
【図４】マッサージ装置の実施例１における背凭れを後傾させた状態を示す側面図である。
【図５】本発明に係るマッサージ装置の実施例２を示す側面図である。
【図６】本発明に係るマッサージ装置の実施例３を示す側面図である。
【図７】マッサージ装置の実施例３を示す斜視図である。
【図８】本発明に係るコントロール装置を示す正面図であって、（ａ）は被施療者のユーザ情報やフィットネス情報を示し、（ｂ）は被施療者との応答例を示し、（ｃ）は被施療者の疲労の部位や程度を示す。
【図９】本発明に係る第２実施形態のマッサージシステムを示す概要図である。
【図１０】本発明に係る第３実施形態のマッサージシステムを示す概要図である。
【発明を実施するための形態】
【００２０】
以下、本発明の実施形態を、図面を参照して説明する。
＜全体構成（第１実施形態）＞
図１には、本発明の第１実施形態に係るマッサージシステム１が示されている。
このマッサージシステム１は、被施療者Ｈをマッサージするマッサージ装置３と、このマッサージ装置３を操作するコントロール装置４を有している。
【００２１】
又、マッサージシステム１は、コース情報Ｊなどを記憶する記憶部５と、施療コースＳを実行する実行部６と、フィットネス手段７と共に、フィットネス情報Ｆに基づいて新たなコース情報Ｊなどを生成するフィットネス生成部８と、被施療者Ｈとコントロール装置４間のコミュニケーション情報Ｃに基づいて新たなコース情報Ｊを生成可能なコミュニケーション生成部９をも備えている。
更に、マッサージシステム１において、マッサージ装置３、コントロール装置４及びフィットネス手段７は、ネットワークＮを介して通信可能に接続していると共に、当該ネットワークＮ上に、上述の記憶部５が設けられている。
【００２２】
これを換言すれば、マッサージ装置３はネットワークＮを介して通信可能なマッサージサーバ１１を備え、コントロール装置４はネットワークＮを介して通信可能なスマートフォンやタブレット端末、携帯電話等のユーザ端末であり、フィットネス手段７はネットワークＮを介して通信可能なフィットネスサーバ１２を備えていると共に、ネットワークＮには、コース情報Ｊやユーザ情報Ｕを置くためのアプリケーションサーバ（クラウドサーバ）１３が設けられており、このアプリケーションサーバ１３に、記憶部５が接続されている。
【００２３】
このように、ネットワークＮ上にコース情報Ｊやユーザ情報Ｕなどを記憶する記憶部５が設けられていることから、マッサージシステム１は、ネットワークＮ上にコース情報Ｊなどを置いたままで、マッサージ装置３の実行部６に施療コースＳを実行させたり、フィットネス手段７からフィットネス情報Ｆを得ることが可能となる。
従って、被施療者Ｈは、場所・時間を問わず、コース情報Ｊとユーザ情報Ｕに基づいて、実行する施療コースＳを選択することが出来、被施療者Ｈは、操作負担をかけずに適切なマッサージの施療を受けられる。
【００２４】
ここで、本発明が、ネットワークＮ上にコース情報Ｊやユーザ情報Ｕ等を置いたままで、選択した施療コースＳをマッサージ装置３に実行させるシステムであることを鑑みれば、このコース情報Ｊやユーザ情報Ｕ等を、「共用の構成可能なコンピュータリソース」とみることが出来、本発明は、「クラウドコンピューティング」システムであると言える。
尚、本発明における「クラウドコンピューティング」システムとは、米国国立標準技術研究所（ＮＩＳＴ）による定義から、「共用の構成可能なコンピューティングリソース（ネットワーク、サーバ、ストレージ、アプリケーション、サービス）の集積に、どこからでも、簡便に、必要に応じて、ネットワーク経由でアクセスすることを可能とするモデルであり、最小限の利用手続きまたはサービスプロバイダとのやりとりで速やかに割当てられ提供される（翻訳は、独立行政法人情報処理推進機構（ＩＰＡ））」システムを言う。
【００２５】
＜マッサージ装置３＞
図２〜７に示されたように、マッサージ装置３は、施療体２で被施療者Ｈをマッサージする装置である。
尚、施療体２で被施療者Ｈをマッサージできるのであれば、椅子型、マットレス型、ベッド型の何れの構成であっても構わないが、ここでは、リクライニング可能な椅子型のマッサージ装置として、実施例１〜３を以下で説明する。
【００２６】
＜実施例１＞
図２〜４には、本発明に係るマッサージ装置３の実施例１が示されており、このマッサージ装置３は、被施療者Ｈが着座する座部２１と、この座部２１を下方から支持する基台部２２と、座部２１の後端部から立設し且つ被施療者Ｈを背後から支える背凭れ部２３と、座部２１の左右端部から立設し且つ被施療者Ｈを左右から支える肘掛け部２４・２４と、座部２１の前端部に設けられ且つ被施療者Ｈの下腿を支えるオットマン（脚載せ部）２５と共に、上述のマッサージサーバ１１も備えている。
尚、マッサージ装置３における背凭れ部２３は、座部２１に対して後傾可能である。
【００２７】
又、マッサージ装置３におけるオットマン２５は、背凭れ部２３の後傾時に上方回動して、被施療者Ｈの下腿を支える（図３参照）と共に、被施療者Ｈの下腿長さに応じて上下方向に伸縮可能に構成されている。
肘掛け部２４は、被施療者Ｈが、肘から前腕、手にかけてを載せられる腕載せ２４ａが形成されており、この腕載せ２４ａは、肘掛け部２４の左右方向内側から外側方向に向けて凹んでいる。
オットマン２５は、基台部２２の内部にオットマン２５が収納されるように構成されていても構わない。
尚、マッサージ装置３は、温度を測る機能（温度計）、湿度を測る機能（湿度計）や、気圧を測る機能（気圧計）を備えている一方、時刻（日時）を検出する機能（時計）や、後述する実行部６の選択パート６ｂ、そして、ヒーターや、加速度センサ、被施療者Ｈの体重を測る機能（体重計）、体脂肪率を測る機能（体脂肪計）等を備えていても良い。
【００２８】
マッサージ装置３における施療体２は、上述の背凭れ部２３、左右の肘掛け部２４・２４、オットマン２５、座部２１などに設けられている。
以下に、施療体２について、詳解する。
【００２９】
本発明に係る施療体２は、被施療者Ｈをマッサージできるのであれば、何れの構成でも良いが、例えば、背凭れ部２３における施療体２は、もみ玉２Ａで構成されており、このもみ玉２Ａを、被施療者Ｈのマッサージ部位（腰、背中、肩、首等）に、所定の速度、強度等で押圧や叩き、左右からの挟み込み等をすることによって、マッサージ動作を施療する。
尚、もみ玉２Ａは、背凭れ部２３内で上下に延びた昇降レール２６に沿って昇降自在なマッサージユニット２７に設けられている。
【００３０】
このマッサージユニット２７は、上述の昇降駆動機構により昇降レール２６に沿って昇降自在なケース２８と、このケース２８内で前後移動駆動機構により前後移動自在に設けられたもみ玉保持枠２９を備えている。
このもみ玉保持枠２９に、左右一対のもみ玉２Ａ・２Ａが、同じく左右一対の揺動アーム３０・３０を介して、上下左右揺動自在に設けられている。
尚、背凭れ部２３における施療体２として、後述するエアバッグ２Ｂが、背凭れ部２３前面の左右端部や上端部に設けられていても良い。
【００３１】
左右の肘掛け部２４・２４における施療体２は、エアバッグ（膨縮袋）２Ｂで構成されており、このエアバッグ２Ｂ内に空気を吸入（エアバッグ２Ｂが膨張）したり、エアバッグ２Ｂ内から空気を排気（エアバッグ２Ｂが収縮）したり、エアバック２Ｂ内の空気量を保持したりして、被施療者Ｈのマッサージ部位（前腕等）を所定の速度、強度等で押圧等をすることによって、マッサージ動作を施療する。
肘掛け部２４のエアバッグ２Ｂは、当該肘掛け部２４（腕載せ２４ａ）との間で密閉された空間を被うシート状の前腕用カバー（図示せず）と、この前腕用カバー内を空気孔（図示せず）を介して吸気・排気するエアポンプ３１を備えている。
【００３２】
オットマン２５における施療体２も、エアバッグ２Ｂで構成されており、エアバッグ２Ｂが膨張・収縮して、被施療者Ｈのマッサージ部位（下腿、足の甲、足裏等）を所定の速度、強度等で押圧等をすることによって、マッサージ動作を施療する。
オットマン２５のエアバッグ２Ｂは、当該オットマン２５との間で密閉された空間を被うシート状で左右一対の下腿用カバー及び足の甲・足裏用カバー（図示せず）を備え、これらの下腿、足の甲・足裏用カバー内を空気孔（図示せず）を介して吸気・排気するのは、肘掛け部２４と同様で、上述のエアポンプ３１である。
【００３３】
座部２１における施療体２は、所定の板状体２Ｃで構成されており、この板状体２Ｃが座部２１上面に揺動自在に設けられて、着座する被施療者Ｈと接触するマッサージ部位（臀部、大腿裏部等）を所定の速度、強度等で押圧等をすることによって、マッサージ動作を施療する。
尚、マッサージ装置３における板状体２Ｃは、必ずしも設けられていなくとも良い。
【００３４】
マッサージサーバ１１は、マッサージ装置３に所定の施療コースＳを実行させるサーバであって、詳しくは、ネットワークＮを介して実行すべき施療コースＳのコース情報Ｊを受け取る機能（サービス）、及び、受け取ったコース情報Ｊに応じた施療コースＳを実行する機能（サービス）を提供するコンピュータ（又は、ソフトウェア）である。
尚、本発明における「サーバ」とは、ＪＩＳ−Ｘ−０００９：１９９７で規定された「データ網を介して、ワークステーション、その他の機能装置に共有サービスを提供する機能装置」を言う。
【００３５】
＜実行部６（制御パート６ａ）＞
以上、マッサージ装置３は、コース情報Ｊに応じた所定の施療コースＳを実行するものとして、施療体２（もみ玉２Ａ、エアバッグ２Ｂ、板状体２Ｃ）や、これら施療体２に所定のマッサージ動作をさせるケース２８、もみ玉保持枠２９及びエアポンプ３１、そして、マッサージサーバ１１を備えていることから、これら施療体２、ケース２８、もみ玉保持枠２９、エアポンプ３１及びマッサージサーバ１１が、実行部６の一部分（制御パート６ａ）を構成している。
尚、マッサージサーバ１１が受け取るコース情報Ｊとは、被施療者Ｈに施療する予定又は施療したマッサージ動作の速度、強度、マッサージ手技、マッサージ部位のうち少なくとも１つに関するパラメータを含むものである。
【００３６】
このようなコース情報Ｊのうち、速度、強度、マッサージ手技のパラメータから、ケース２８、もみ玉保持枠２９の移動（駆動）距離・経路や移動（駆動）速度、移動（駆動）加速度、及び、エアポンプ３１が吸気・排気する空気量や、吸気・排気の速度が決まる。
又、コース情報Ｊのうち、マッサージ部位のパラメータから、マッサージ装置３における施療体２のうち実際にマッサージ動作をする施療体２（背凭れ部２３のもみ玉２Ａか、左右の肘掛け部２４・２４やオットマン２５のエアバッグ２Ｂか、座部２１の板状体２Ｃか）が決まる。
【００３７】
＜実施例２＞
図５には、本発明に係るマッサージ装置３の実施例２が示されている。
この実施例２において実施例１と最も異なるのは、着座した被施療者Ｈの肩または上腕側方をマッサージする施療体２を備えている点である。
【００３８】
この施療体２は、背凭れ部２３前面部の左右端における上下方向中途部に、前上方に突出した側面視略台形状で左右一対の施療片４１・４１が取り付けられ、この施療片４１・４１の左右方向内側面に施療体２が設けられている。
各施療片４１における施療体２は、エアバッグ２Ｂで構成されており、エアバッグ２Ｂが膨張・収縮して、被施療者Ｈのマッサージ部位（肩、上腕側方等）を所定の速度、強度等で押圧等をすることによって、マッサージ動作を施療する。
施療片４１のエアバッグ２Ｂは、当該施療片４１との間で密閉された空間を被うシート状で左右一対の肩用カバー（図示せず）と、これらの肩用カバー内を空気孔（図示せず）を介して吸気・排気するのは、肘掛け部２４やオットマン２５と同様のエアポンプ３１である。
【００３９】
又、実施例２のマッサージ装置３は、施療片４１と肘掛け部２４間の上下位置で且つ背凭れ部２３前面部の左右端に、略円板状で左右一対の振動マッサージ器（図示せず）を設けていても良く、この振動マッサージ器は、振動を発生して被施療者Ｈに振動マッサージ（マッサージ動作）を施療する。
そして、このマッサージ器は、肘掛け部２４の腕載せ２４ａ内底面や、オットマン２５における被施療者Ｈの下腿や足裏等が当接する部分に設けられていても構わない。
その他のマッサージ装置３の構成、作用効果及び使用態様は、実施例１と同様である。  
【００４０】
＜実施例３＞
図６、７には、本発明に係るマッサージ装置３の実施例３が示されている。
この実施例３は、施療片４１を有している点は、実施例２と同様であるが、実施例２との違いは、この施療片４１の形状・大きさの他、座部２１、基台部２２等の形状・大きさである。
【００４１】
実施例３の施療片４１は、側面視略半楕円状であって、実施例２の施療片４１より大きく、被施療者Ｈの肩、上腕側方等をより広範囲にマッサージ動作を施療することが出来る。
又、実施例３の座部２１、基台部２２は、側面視で、上述の施療片４１の側面形状に続くように丸みを帯びたデザインとなっている。
【００４２】
更に、実施例３は、実施例２における振動マッサージ器の代わりに、施療体として板状体（図示せず）が揺動自在に設けられ、着座する被施療者Ｈと接触するマッサージ部位（腰上部の左右部分等）を所定の速度、強度等で押圧等をすることによって、マッサージ動作を施療することとしても構わない。
この場合、板状体の前面（被施療者Ｈ側の面）に凸部を形成しても良く、この凸部によって、被施療者Ｈの腰上部周辺のツボを刺激することが出来る。
【００４３】
尚、図７で示したように、実施例３に限らず、実施例１、２も同様であるが、背凭れ部２３の前面には、被施療者Ｈの頭を支える枕状クッション４２や、被施療者Ｈの肩を支える左右一対の肩クッション４３・４３を設けていても良い。
又、図７において、一方の肘掛け部２４から立設する支持具に、有線のリモコンが取り付けられているが、コントロール装置４は、このリモコンに限定されない。
その他のマッサージシステム１の構成、作用効果及び使用態様は、実施例１、２と同様である。
【００４４】
＜コントロール装置４＞
コントロール装置４は、上述のマッサージ装置３を操作するものであって、構成は特に限定されず、有線・無線も問わないが、被施療者Ｈが普段携帯している電子機器、例えば、スマートフォンや、タブレット型端末、携帯電話、ＰＤＡ（携帯情報端末）、ノートＰＣ等のユーザ端末でも構わない。
【００４５】
以下は、コントロール装置４として、スマートフォンを例に説明するが、本発明は、当然、スマートフォンに限定されるものではない。
図８に示されたように、ここでは、表示画面４ａ、タッチパネル４ｂ、入力ボタン４ｃ、入力マイク４ｄ、スピーカ４ｅ、カメラ４ｆ等を備えた一般的なスマートフォンを、コントロール装置４として想定している。
【００４６】
図８（ａ）に示された如く、コントロール装置４の表示画面４ａは、被施療者Ｈの氏名、性別、身長、体重、体脂肪率等の被施療者Ｈの状況や、被施療者Ｈが置かれた日付、時刻（日時）、温度、湿度、天候等の被施療者Ｈの環境に関するユーザ情報Ｕを表示できる。
尚、ユーザ情報Ｕのうち、温度とは、被施療者Ｈが置かれた場所が、屋内であれば、室温、屋外であれば気温等となる。
表示画面４ａは、被施療者Ｈがフィットネス手段７にて行った所定のフィットネス動作における種類（フィットネス種目）、時間、強度（回数）等のフィットネス情報Ｆも表示できる。
【００４７】
尚、表示画面４ａに表示された自らのユーザ情報Ｕや、フィットネス動作（トレーニング）を行った内容に誤り等があれば、タッチパネル４ｂや、入力ボタン４ｃ等を使って修正できる。
又、図８（ｂ）に示された如く、コントロール装置４の表示画面４ａには、被施療者Ｈが「フィットネス後」である等の状況や、呼吸数、つかれ等の被施療者Ｈの全体的な疲労の状態を表すユーザ情報Ｕも表示できる。
【００４８】
図８（ｃ）に示された如く、被施療者Ｈの疲労を示す内容は、被施療者Ｈの体の部位ごとに疲労度を表したイメージ（画像）でも良く、このような画像が横長の場合には、スマートフォン等を横向きにして、表示内容が９０度回転し、一目で見易くなるようにする機能をつけても構わない。
尚、図８（ｃ）は、被施療者Ｈの背面から見える部位を表しているが、正面から見える部位を表した画像であっても構わない。
又、表示画面４ａに表示された各部位の疲労度が実際と異なっていたり、きつめにマッサージを受けたい場合には、タッチパネル４ｂや、入力ボタン４ｃ等を使って、各部位の疲労度を修正できる。
【００４９】
＜コミュニケーション情報Ｃ＞
更に、この図８（ｂ）は、表示画面４ａ（の下半分）に、被施療者Ｈに対する質問（アンケート）が表示できることを示している。
このように、表示された質問に対して、被施療者Ｈが自分の希望を口頭（音声）で返答した場合、被施療者Ｈの音声を入力マイク４ｄで拾うことが出来、拾った音声をコントロール装置４が音声認識した内容が、被施療者Ｈとコントロール装置４間で応答したコミュニケーション情報Ｃ（被施療者Ｈ自身の状態に係る被施療者Ｈとコントロール装置４間の応答に関するコミュニケーション情報Ｃ）となる。
このような応答は、その時（マッサージを施療される時）の疲労度や気分（今日は調子がいい、元気だ、疲れている、悲しい等）、天候（晴れ、曇り、雨、雪等）などに関してなされていても良く、コントロール装置４からの質問は、スピーカ４ｅから発せられても構わない。
尚、表示画面４ａに表示された質問に対して、タッチパネル４ｂを介して回答することで、コミュニケーション情報Ｃを得ても構わない。
【００５０】
コミュニケーション情報Ｃの元となる被施療者Ｈとコントロール装置４間の応答は、マッサージ前（つまり、マッサージを施療される予定）の場面以外にも行い得る。
例えば、マッサージ施療中であれば、コントロール装置４のスピーカ４ｅから発した質問（マッサージの部位、強度、速度、位置等が適切かなど）に対して、被施療者Ｈが発した回答（対話）に応じてマッサージ動作を施療したり、逆に、被施療者Ｈから発せられたマッサージ手技（マッサージ動作の手技）の質問に対して、コントロール装置４からマッサージ動作の手技名、手技の説明、手技の動作範囲等を回答（対話）したりするなどのインタラクティブなコミュニケーションであっても構わない。
尚、このような応答によって得られたコミュニケーション情報Ｃは、被施療者Ｈの状態を情報でもあることから、ユーザ情報Ｕに含まれる。
【００５１】
その他、コントロール装置４は、マッサージ施療中に、リアルタイムでどのような手技が行われているかを、スピーカ４ｅから被施療者Ｈに音声にて通知したり、カメラ４ｆにより撮像した顔から被施療者Ｈを特定しても良い。
又、施療コースＳの選択を、被施療者Ｈが手動で行えるようにしても良く、その選択時に、もみ玉２Ａ（施療体２）などの機構の動きを表したアニメーション等を、表示画面４ａにて、被施療者Ｈに見せても良い。
【００５２】
更に、コントロール装置４の入力マイク４ｄから入力した被施療者Ｈの音声を、周波数解析（フーリエ解析）やカオス解析処理を施すことで、被施療者Ｈの疲労度や、ストレス、眠気等の心身状態の変化を検出しても良い（例えば、被施療者Ｈの音声をデジタル変換した後、リャプノフ指数を時系列的に比較すると、被施療者Ｈの体調が良い（疲労度が低い）時の音声におけるリャプノフ指数より、マッサージ前等の被施療者Ｈの音声におけるリャプノフ指数の方が高くなるほど、疲労度も高くなることから、リャプノフ指数に基づいて算出した疲労度をコミュニケーション情報Ｃ（ユーザ情報Ｕ）に含ませても良い）。
【００５３】
尚、ここまでの述べた機能は、表示画面４ａ〜カメラ４ｆ（タッチパネル４ｂの代わりに、ボタン、キーボード等であっても良い）を備えた機器であれば、スマートフォン以外のコントロール装置４であっても、有線・無線を問わず、実現できる。
又、コントロール装置４は、時刻（日時）を検出する機能（時計）を備えており、この時計は、表示画面４ａに、必要に応じて時刻・年月日（つまり、タイム情報Ｔ）を表示する構成となっている。
このタイム情報Ｔは、被施療者Ｈが置かれた環境を表していると言えることから、ユーザ情報Ｕに含まれる。
尚、時計とは、具体的には、電波時計であっても良く、この電波時計とは、東日本局（福島局）と西日本局（九州局）から発信される日本標準時電波を受信して自動的に時間設定が行われる時計である。
この一方で、コントロール装置４は、温度を測る機能（温度計）、湿度を測る機能（湿度計）や、気圧を測る機能（気圧計）、後述する実行部６の選択パート６ｂ、その他、加速度センサを備えていても構わない。
【００５４】
＜フィットネス手段７＞
図１に示したように、フィットネス手段７は、被施療者Ｈが、フィットネス動作を行える機器であって、何れの構成であっても良いが、例えば、トレッドミル、エリプティカルトレーナー、クライムミル、エクササイズサイクル、エクササイズステッパー、エクササイズローアー、エクササイズハンドサイクル等のフィットネス機器や、チェストプレス、レッグプレス等、負荷をかけて筋力、筋量の増加や、競技パフォーマンスの向上を図るトレーニング機器であっても構わない。
【００５５】
又、フィットネス手段７は、上述した機器に限らず、プール、海、河川等での水泳や、スタジオ等でのダンス、屋外・屋内を問わず通常のランニングやウォーキングも含む。
水泳である場合、プールや水着に被施療者Ｈの泳ぐ距離、時間、インターバル、泳法、速度を感知するセンサを取り付けたり、ダンスの場合であれば、着衣やスタジオの床・壁等に被施療者Ｈのダンスの時間、動く範囲、強度を感知するセンサを、ランニング等であれば、着衣や携帯機器に被施療者Ｈの走る又は歩く距離、時間、インターバル、速度を感知するセンサを取り付けたりしても良い。
【００５６】
フィットネス手段７は、上述したように、フィットネスサーバ１２を備えており、このフィットネスサーバ１２は、被施療者Ｈがフィットネス手段７にて行った所定のフィットネス動作のフィットネス情報Ｆを、ネットワークＮ上の記憶部５等へ送り出すサーバである。
詳解すれば、フィットネスサーバ１２は、被施療者Ｈが行ったトレッドミル、エクササイズサイクル等のフィットネス機器、チェストプレス等のトレーニング機器の種類、時間、強度（フィットネス機器で調整できる負荷、トレーニング機器におけるウエイトなどの重量など）、回数や、泳いだ距離、時間、インターバル、泳法、速度などのフィットネス情報Ｆを収集する機能（サービス）、収集したフィットネス情報ＦをネットワークＮを介して記憶部５や、直接、マッサージ装置３、コントロール装置４に送り出す機能（サービス）を提供するコンピュータ（又は、ソフトウェア）である。
【００５７】
＜アプリケーションサーバ（クラウドサーバ）１３＞
図１に示されたように、アプリケーションサーバ１３は、インターネット、ＬＡＮ、ＭＡＮ、ＷＡＮなどのネットワークＮ上に設けられ、ユーザ情報Ｕ（コミュニケーション情報Ｃ）や、フィットネス情報Ｆを置くことが出来るサーバ（コンピュータ、又は、ソフトウェア）であって、マッサージサーバ１１、コントロール装置４、フィットネスサーバ１２の何れもと通信可能である。
アプリケーションサーバ１３は、１台のコンピュータから構成される場合だけでなく、複数のコンピュータから成るＬＡＮ（クラウドＬＡＮ１４）を構成しても良い。
【００５８】
尚、アプリケーションサーバ１３は、ＬＡＮの集合体であるインターネット（つまり、ネットワークＮ）の一部であるとも考えられ、ネットワークＮが、複数のコンピュータを統合的に連携し、あたかも１つのコンピューティングリソース（ネットワーク、サーバ、ストレージ、アプリケーション、サービス）であるように扱われる（仮想化される）。
従って、ユーザ情報Ｕやフィットネス情報Ｆは、アプリケーションサーバ１３上に置かれていると同時に、ネットワークＮに置かれているとも言える。
このように、ネットワークＮ上の記憶部５にて、被施療者Ｈそれぞれのフィットネス情報Ｆやユーザ情報Ｕを一元管理していることから、マッサージ装置３やフィットネス手段７が複数であったり、コントロール装置４が変わったりしても、各情報Ｆ、Ｕを共有できる。
又、被施療者Ｈに属性（パスワード等）を付与し、自らが施療されてきたマッサージ動作の履歴や、自らが行ったフィットネス動作の履歴を、ネットワークＮを介して得られ、得られた履歴を集計した結果から、被施療者Ｈ自身が、施療コースＳを選択したり、コース情報Ｊを調整する際に、判断材料となる。
【００５９】
尚、アプリケーションサーバ１３が仮想化されていることから、本発明のマッサージシステム１は、「グリッドシステム」であると言える。
尚、本発明における「グリッドシステム」とは、ＪＩＳ−Ｘ−７３０１：２０１０で規定された「コンピュータ、ストレージ及びネットワークといった資源の物理的位置やハードウェアを意識することなく、必要な資源を必要な時に必要なだけ利用可能なシステムであり、異機種及び／又は地理的に分散した、複数のコンピュータ資源を仮想化技術を用いて統合したシステム」システムを言う。
【００６０】
＜フィットネス生成部８＞
図１に示す如く、フィットネス生成部８は、アプリケーションサーバ１３（ネットワークＮ上）に設けられており、ネットワークＮ上に置かれた記憶部５内のフィットネス情報Ｆに基づいて、新たな施療コースＳの生成を行っている。
フィットネス生成部８が行う生成について、以下に詳解する。
【００６１】
フィットネス生成部８は、被施療者Ｈがフィットネス手段７で行う予定又は行ったフィットネス動作の種類、時間、回数、強度、そして、フィットネス動作を終了してからの経過時間等のパラメータのうち少なくとも１つから、当該被施療者Ｈが受けるべきマッサージ動作の速度、強度、マッサージ手技、マッサージ部位を調整し、適切なコース情報Ｊ（つまり、施療コースＳ）を生成する。
例えば、フィットネス種目（フィットネス動作）として、トレッドミルを３０分間行ったのであれば、フィットネス生成部８は、心拍数の上昇や、体全体の血流量の増加、脚部の疲労を把握し、血流を無理に妨げるのではなく、自然に低下させつつ、大腿、下腿、臀部、腰、背中等の部位（オットマン２５、背凭れ部２３など）におけるマッサージ強度を他の部位よりも少し上げる等の施療コースＳを生成する。
【００６２】
又、フィットネス種目が、チェストプレスで、ウエイト４０ｋｇ×１０回を４セット行ったのであれば、フィットネス生成部８は、胸筋や、肩の筋肉（三角筋、僧帽筋、菱形筋）、上腕三頭筋、前腕筋の疲れを把握し、肩、首、背中、上腕、前腕等の部位（背凭れ部２３、肘掛け部２４など）におけるマッサージ強度や時間、速度を他の部位よりも上げる等の施療コースＳを生成する。
更に、フィットネス種目として、５００ｍ泳いだのであれば、フィットネス生成部８は、全身の筋肉の疲れを把握し、各部位（背凭れ部２３、肘掛け部２４、オットマン２５など）におけるマッサージ強度や時間、速度にそれほど違いを出さずに、血行を促進する等の施療コースＳを生成する。
【００６３】
＜コミュニケーション生成部９＞
図１に示す如く、コミュニケーション生成部９も、アプリケーションサーバ１３（ネットワークＮ上）に設けられており、アプリケーションサーバ１３上に置かれた記憶部５内のコミュニケーション情報Ｃ（ユーザ情報Ｕの一部）に基づいて、新たな施療コースＳの生成を行っている。
コミュニケーション生成部９が行う生成について述べれば、被施療者Ｈとコントロール装置４との応答の内容から、身体的に疲れている以外に、気分が落ち込んでいたり、天候から憂鬱さを感じていることを、被施療者Ｈ自身が示す、又は、はっきりとは言わずとも被施療者Ｈの音声から疲労度が高いと把握すれば、コミュニケーション生成部９は、胸を開いて、深呼吸させるように（呼吸が深くなるよう）に背中を押したり、首、足首等を回しやすくする等の施療コースＳを生成する。
【００６４】
＜実行部６（選択パート６ｂ）＞
図１に示すように、実行部６は、その一部分が、アプリケーションサーバ１３（ネットワークＮ上）にも置かれており、アプリケーションサーバ１３に置かれた実行部６の一部分（選択パート６ｂ）は、フィットネス情報Ｆとユーザ情報Ｕに基づいて、実行する施療コースＳの選択を行っている。
【００６５】
選択パート６ｂは、被施療者Ｈがフィットネス動作を行った直後や、それほど時間が経過していない場合、上述のフィットネス生成部８が生成した新たな施療コースＳをそのまま選択し（つまり、新たな施療コースＳが優先され）、実行部６の制御パート６ａに実行させる。
フィットネス動作からの時間が経過するに従って、新たに生成された施療コースＳのコース情報Ｊから、ユーザ情報Ｕのみに基づいて選択された場合の施療コースＳ（コース情報Ｊ）に、マッサージ動作の速度、強度等のパラメータの値が近づいていく。
そこで、ユーザ情報Ｕのみに基づいて施療コースＳが選択された場合を、以下に詳解する。
【００６６】
選択パート６ｂは、ユーザ情報Ｕであり被施療者Ｈが置かれた環境の要素の１つであるタイム情報Ｔ（コントロール装置４等で検出された時刻）に応じて、実行する施療コースＳを選択する（切り替える）。
例えば、時刻（マッサージ開始時刻）が朝早くであれば、選択パート６ｂは、起床したばかりであると把握し、被施療者Ｈの血流の流れを良くしたり、ストレッチさせる等の施療コースＳを選択して、体を目覚めさせても良い。
【００６７】
又、時刻が昼過ぎであれば、選択パート６ｂは昼食後であると把握し、消化を促すよう被施療者Ｈの腹部に血流が多くなるような施療コースＳを選択し、夕方より遅い時刻であれば、選択パート６ｂは風呂上り又は就寝前であると把握し、一日の疲れをほぐす程度で、眠りにつきやすいよう軽めの施療コースＳを選択する等をしても構わない。
尚、上述した起床後や、昼食後、風呂上り、就寝前等に応じて、施療コースＳは、マッサージ動作の速度、強度、マッサージ手技、マッサージ部位等を変更のうち少なくとも１つに関するパラメータ（つまり、コース情報Ｊ）を調整することとなる。
【００６８】
この他、選択パート６ｂは、時刻以外でも、月日（季節）に応じて、マッサージ装置３のヒーターをＯＮ／ＯＦＦする構成としても良い。
更に、選択パート６ｂは、マッサージを施療する日の温度（室温）から、被施療者Ｈがどのように感じているか（暑いか、寒いか、快適か等）や、マッサージ装置３が載置されている場所（部屋）の湿度から、被施療者Ｈがどのように感じているか（蒸し暑いか、乾燥しているか、ムチ打ちの痛みが出易いか、快適か等）を把握して、施療コースＳを選択しても良い。
又、コントロール装置４やマッサージ装置３の加速度センサより、被施療者Ｈの呼吸数を検出して、フィットネス動作直後ではないか、病気ではないか等を把握して、マッサージの施療コースＳを選択しても構わない。
【００６９】
このように、フィットネス情報Ｆに基づいて新たなコース情報Ｊを生成可能なフィットネス生成部８を備えると共に、フィットネス情報Ｆとユーザ情報Ｕとに基づいて、実行する施療コースＳを実行部６自体が選択することによって、被施療者Ｈに余計な操作負担をかけることなく、被施療者Ｈの主に疲労している部位がフィットネス情報Ｆからわかり、最も適切な疲労回復を施したり、最も競技パフォーマンスを発揮するための適切な施療コースＳを選択することが出来る。
つまり、「操作負担の低減」と「適切なマッサージの施療」の両立が実現できる。
尚、実行部６の選択パート６ｂは、時刻（日時）を検出する機能（時計）を備えていても良い。
【００７０】
＜第２実施形態、第３実施形態＞
図９には、本発明の第２実施形態に係るマッサージシステム１が示されている。
この第２実施形態において第１実施形態と最も異なるのは、フィットネス手段７（及びフィットネス生成部９）を備えていない点である。
【００７１】
従って、第２実施形態では、フィットネス情報Ｆを得ることは出来ないため、これに代わるユーザ情報Ｕを得ることで、フィットネス動作を行う被施療者Ｈに対して、適切なマッサージ動作を実行できる。
尚、「フィットネス情報Ｆに代わるユーザ情報Ｕ」とは、マッサージ装置３にてマッサージ動作を施療した際の反力によって検出した被施療者Ｈの全体的な体のかたさや、特にかたい部位などの「被施療者Ｈの状態」であり、他よりもかたい部位は、当該施療者Ｈが、フィットネス動作等によって、つかれが溜まっている部位と判断できる。
【００７２】
又、コントロール装置４やマッサージ装置３が、加速度センサを備えている場合には、被施療者Ｈの呼吸数を検出して、フィットネス動作直後どうかを把握して、施療コースＳをシステム自らが選択させても良い。
これによって、操作負担を上げずに、フィットネス動作も併せて行う被施療者Ｈに対して、適切なマッサージ動作を実行できる。
その他のマッサージシステム１の構成、作用効果及び使用態様は、第１実施形態と同様である。
【００７３】
図１０には、本発明の第３実施形態に係るマッサージシステム１が示されている。
この第３実施形態は、第１実施形態や第２実施形態と異なり、マッサージ装置３、コントロール装置４等が中継器５１を介して有線で接続されると共に、アプリケーションサーバ１３を備えていないことを特徴とする。
【００７４】
又、第３実施形態では、記憶部５や、実行部６の選択パート６ｂ、フィットネス生成部８、コミュニケーション生成部９が、中継器５１に設けられている。  
尚、第３実施形態において、マッサージ装置３、コントロール装置４及びフィットネス手段７は、ＬＡＮにて互いに接続されていると言え、このＬＡＮも一種のネットワークＮである。
その他のマッサージシステム１の構成、作用効果及び使用態様は、第１、２実施形態と同様である。
【００７５】
＜その他＞
本発明は、前述した実施形態に限定されるものではない。マッサージシステム１等の各構成又は全体の構造、形状、寸法などは、本発明の趣旨に沿って適宜変更することが出来る。
マッサージシステム１は、マッサージ装置３や、フィットネス手段７、アプリケーションサーバ１３等の機器のエラーの内容を、ネットワークＮを介して、コントロール装置４の表示画面４ａに表示して、被施療者Ｈに示しても良い。
又、マッサージシステム１は、コミュニケーション生成部９を備えていなくとも良い。
更に、マッサージシステム１は、フィットネス動作をする前の被施療者Ｈに、これから行う予定のフィットネス種目、強度等に応じた施療コースＳを選択し、マッサージを施療しても良い。
【００７６】
マッサージ装置３は、被施療者Ｈの体温を測る機能（赤外線センサ、サーモメータ等）や、被施療者Ｈの脈拍を測る機能（脈拍計）を備えていても良い。
又、マッサージ装置３は、血糖値を測る機能（血糖値測定器）や、被施療者Ｈの臭いを測る機能（臭気測定器）を備えていても構わない。
【００７７】
コントロール装置４は、傾きセンサ（ジャイロセンサや加速度センサ）を内蔵し、表示画面４ａや音声等によらず、コントロール装置４自体を傾けることによって、マッサージ装置３を操作する構成であっても良い。
又、コントロール装置４は、被施療者Ｈがコントロール装置４（タッチパネル４ｂや、入力ボタン４ｃ等）の押圧具合を測る機能（圧力センサ）を備えていても良い。
更に、コントロール装置４は、被施療者Ｈの携帯機器以外に、例えば、デスクトップ型ＰＣ等でも良く、この場合、１台のデスクトップ型ＰＣから構成される場合だけでなく、複数のデスクトップ型ＰＣや、スマートフォン、タブレット型端末、携帯電話、ＰＤＡ、ノートＰＣ等から成るＬＡＮを構成しても良い。
【００７８】
記憶部５は、ネットワークＮ（アプリケーションサーバ１３）上に設けられていたが、記憶部５に記憶された所定の施療コースＳを、コントロール装置４にダウンロードしても良い。
又、記憶部５は、マッサージ装置３やコントロール装置４、フィットネス手段７に設けられていても良い。
実行部６の選択パート６ｂや、フィットネス生成部８、コミュニケーション生成部９も、記憶部５と同様に、ネットワークＮ（アプリケーションサーバ１３）上に設けられていたが、マッサージ装置３やコントロール装置４、又は、フィットネス手段７に設けられていても良い。
【符号の説明】
【００７９】
１        マッサージシステム
２        施療体
３        マッサージ装置
４        コントロール装置
５        記憶部
６        実行部
７        フィットネス手段
８        フィットネス生成部
９        コミュニケーション生成部
Ｈ        被施療者
Ｓ        施療コース
Ｊ        コース情報
Ｆ        フィットネス情報
Ｕ        ユーザ情報
Ｔ        タイム情報
Ｃ        コミュニケーション情報
Ｎ        ネットワーク
【図１】
2015097635.tif 000003
【図２】
2015097635.tif 000004
【図３】
2015097635.tif 000005
【図４】
2015097635.tif 000006
【図５】
2015097635.tif 000007
【図６】
2015097635.tif 000008
【図７】
2015097635.tif 000009
【図８】
2015097635.tif 000010
【図９】
2015097635.tif 000011
【図１０】
2015097635.tif 000012